(57)【要約】【課題】対象物の水切りを良好に実行できる水切りマットを提供する。【解決手段】複数（本実施の形態では２つ）の立体編物１０（１０ａ、１０ｂ）のそれぞれは、合成繊維（マイクロファイバー）の集合体として形成される吸水シートである。立体編物１０ａは、主として、第１および第２編地と、連結部と、を有している。第１および第２編地のそれぞれは、合成繊維を網目状に編み込むことにより成形されるシート体である。第１および第２編地には、それぞれ複数の網目１３ａおよび網目１３ｂが形成されている。連結部は、第１編地の対向面と第２編地の対向面と、を連結させる糸状体である。固定部４０は、重ねて配置された各立体編物１０（１０ａ、１０ｂ）の外周１１に沿って設けられている。【選択図】図３
0003200604.tif 000002
【実用新案登録請求の範囲】
【請求項１】
(a) 複数の立体編物と、
(b) 重ねて配置された各立体編物の外周に沿って設けられており、各立体編物の端部同士を固定する固定部と、
を備え、
前記複数の立体編物のそれぞれは、
(a-1)  各々が網目状に編み込まれた第１および第２編地と、
(a-2)  前記第１編地の対向面と、前記第２編地の対向面と、を連結させる糸状の連結部と、
を有し、
前記第１および第２編地、並びに前記連結部のそれぞれを構成する単糸の繊度は、０．０００１デニール以上１デニール以下であることを特徴とする水切りマット。
【請求項２】
請求項１に記載の水切りマットにおいて、
前記複数の立体編物の枚数は、２枚であることを特徴とする水切りマット。
【請求項３】
請求項１または請求項２に記載の水切りマットにおいて、
前記固定部は、
各立体編物の端部を覆う保護部、
を有するとともに、
各立体編物の端部および前記保護部が縫い合わされることによって、前記固定部は、各立体編物の端部同士を固定することを特徴とする水切りマット。
【考案の詳細な説明】
【技術分野】
【０００１】
本考案は、水切りマットに関する。
【背景技術】
【０００２】
従来、
（１）表面層をマイクロファイバーのパイル生地からなる吸水性シートで、フロアに接する裏面層をメッシュ生地からなる通気性シートで、それぞれ構成するとともに、
（２）これら吸水性シートと通気性シートとの間に、立体構造の編物からなる立体編物シートを配設した水廻りマットが知られている（例えば、特許文献１）。
【先行技術文献】
【特許文献】
【０００３】
【特許文献１】特開２０１４−２２６３０５号公報
【考案の概要】
【考案が解決しようとする課題】
【０００４】
このように、特許文献１のマットにおいて、水切り対象物を載置する表面層は、吸水性に優れる一方で、通気性に劣る。その結果、場合によっては、対象物とマットとの接触部分が湿気を帯びるという問題が生ずる。
【０００５】
そこで、本考案では、対象物の水切りを良好に実行できる水切りマットを提供することを目的とする。
【課題を解決するための手段】
【０００６】
上記の課題を解決するため、請求項１の考案は、複数の立体編物と、重ねて配置された各立体編物の外周に沿って設けられており、各立体編物の端部同士を固定する固定部とを備え、前記複数の立体編物のそれぞれは、各々が網目状に編み込まれた第１および第２編地と、前記第１編地の対向面と、前記第２編地の対向面とを連結させる糸状の連結部とを有し、前記第１および第２編地、並びに前記連結部のそれぞれを構成する単糸の繊度は、０．０００１デニール以上１デニール以下であることを特徴とする。
【０００７】
また、請求項２の考案は、請求項１に記載の水切りマットにおいて、前記複数の立体編物の枚数は、２枚であることを特徴とする。
【０００８】
また、請求項３の考案は、請求項１または請求項２に記載の水切りマットにおいて、前記固定部は、各立体編物の端部を覆う保護部、を有するとともに、各立体編物の端部および前記保護部が縫い合わされることによって、前記固定部は、各立体編物の端部同士を固定することを特徴とする。
【考案の効果】
【０００９】
請求項１から請求項３に記載の考案において、各立体編物には、複数の網目が形成されており、各立体編物は優れた通気性を有している。また、第１および第２編地、並びに連結部のそれぞれを構成する単糸の繊度は、０．０００１デニール以上１デニール以下であり、各立体編物は優れた吸水性および速乾性を有している。
【００１０】
これにより、水滴の付着した対象物が水切りマットの上に置かれると、この水滴は、
（１）重力の作用によって対象物から水切りマットに移動するとともに、
（２）速やかに水切りマットで吸水される。
【００１１】
また、各立体編物が有する高い通気性は、水分を含んだ水切りマットの自然乾燥を促進させる。
【００１２】
このように、請求項１から請求項３に記載の考案によれば、
（Ａ）対象物に付着した水滴を水切りマットに吸水させること、および、
（Ｂ）水切りマットに吸水された水分を自然乾燥させること、
のいずれをも、良好に実行できる。そのため、対象物を水切りマットの上に一定時間放置するだけで、対象物と、水切りマットと、が接触する部分についても、湿気を帯びさせることなく、さらっとした状態にすることができる。
【図面の簡単な説明】
【００１３】
【図１】本考案の実施の形態における水切りマットの構成の一例を示す表面図である。
【図２】本考案の実施の形態における水切りマットの構成の一例を示す裏面図である。
【図３】図１のＶ１−Ｖ１線から見た水切りマットの断面図である。
【図４】図１のＡ部分における拡大図である。
【図５】図４のＶ２−Ｖ２線から見た第１編地の断面図である。
【図６】水切りマットを用いた吸水処理を説明するための断面図である。
【図７】水切りマットを用いた吸水処理を説明するための断面図である。
【図８】水切りマットを用いた吸水処理を説明するための断面図である。
【図９】本考案の実施の形態における水切りマットの構成の他の一例を示す断面図である。
【考案を実施するための形態】
【００１４】
以下、図面を参照しつつ本考案の実施の形態について詳細に説明する。
【００１５】
＜１．水切りマットの構成＞
図１および図２は、それぞれ本考案の実施の形態における水切りマット１の構成の一例を示す表面図および裏面図である。図３は、図１のＶ１−Ｖ１線から見た水切りマット１の断面図である。
【００１６】
図１から図３に示すように、水切りマット１は、主として、複数の立体編物１０（１０ａ、１０ｂ）と、固定部４０と、を備えている。なお、図１および以降の各図には、図面に記載された各構成要素の理解を助けるため、必要に応じて適宜、Ｚ軸方向を鉛直方向とし、ＸＹ平面を水平面とするＸＹＺ直交座標系が、付されている。
【００１７】
ここで、本実施の形態の水切りマット１により実行される水切り処理の手順を説明する。図３に示すように、水滴６が付着した対象物５（例えば、洗浄後のコップ等）が載置されると、この水滴６は、重力の作用によって対象物５から水切りマット１に移動する。例えば、一部の水滴は、対象物５から水切りマット１に向かって自由落下する。また、他の水滴は、対象物５の外周面に沿って移動する。
【００１８】
そして、重力の作用による水滴の移動が終了するとともに、移動後の水滴がすべて水切りマット１で吸水されることによって、本実施の形態における水切り処理が終了する。
【００１９】
複数（本実施の形態では２つ）の立体編物１０（１０ａ、１０ｂ）のそれぞれは、合成繊維の集合体として形成される吸水シートである。図３に示すように、各立体編物１０（１０ａ、１０ｂ）は、重ねて配置されている。
【００２０】
ここで、本実施の形態の立体編物１０ａ、１０ｂは、同様な構成を有している。そのため、以下では、立体編物１０ａについてのみ説明する。
【００２１】
図４は、図１のＡ部分における拡大図である。図５は、図４のＶ２−Ｖ２線から見た第１編地２０ａの断面図である。図４および図５に示すように、立体編物１０ａは、主として、第１および第２編地２０ａ、２０ｂと、連結部３０と、を有している。
【００２２】
第１および第２編地２０ａ、２０ｂのそれぞれは、合成繊維を網目状に編み込むことにより成形されるシート体である。すなわち、図４に示すように、第１編地２０ａには、複数の網目１３ａが形成されている。また同様に、第２編地２０ｂには、複数の網目１３ｂ（図３参照）が形成されている。
【００２３】
連結部３０は、図５に示すように、第１編地２０ａの対向面２１ａと第２編地２０ｂの対向面２１ｂと、を連結させる糸状体である。より具体的には、連結部３０は、連結糸３１により構成されており、連結糸３１により第１および第２編地２０ａ、２０ｂが編み合わされている。
【００２４】
これにより、第１および第２編地２０ａ、２０ｂの間に空隙が形成される。そのため、第１編地２０ａの網目１３ａ、第２編地２０ｂの網目１３ｂ、および連結部３０によって、立体編物１０ａの通気性が確保される。
【００２５】
ここで、本実施の形態の第１および第２編地２０ａ、２０ｂ、並びに連結部３０は、いわゆるマイクロファイバー（例えば、極細のナイロンまたはポリエステル等の合成繊維）により形成されている。また、これら第１および第２編地２０ａ、２０ｂ、並びに連結部３０のそれぞれを構成する単糸の繊度は、０．０００１デニール以上１デニール以下（好ましくは、０．０１デニール以上１デニール以下）とされている。そのため、立体編物１０ａは、優れた吸水性および速乾性を有している。
【００２６】
また、網目１３（１３ａ、１３ｂ）の面積は、好ましくは、０．２５π〜４π（平方ｍｍ）である。
【００２７】
図１から図３に戻って、固定部４０は、重ねて配置された各立体編物１０（１０ａ、１０ｂ）の外周１１に沿って設けられている。図３に示すように、固定部４０は、主として、保護部４１と、縫糸４２と、を有している。
【００２８】
保護部４１は、各立体編物１０（１０ａ、１０ｂ）の端部１２（１２ａ、１２ｂ）を覆う環状シート体である。そして、縫糸４２により、各立体編物１０（１０ａ、１０ｂ）の端部１２（１２ａ、１２ｂ）および保護部４１が縫い合わされることによって、固定部４０は、各立体編物１０（１０ａ、１０ｂ）の端部１２（１２ａ、１２ｂ）同士を固定する。
【００２９】
＜２．水切りマットによる吸水処理＞
図６から図８のそれぞれは、水切りマット１を用いた吸水処理を説明するための断面図である。ここでは、図６から図８を参照しつつ、立体編物１０ａの網目１３ａを通過した水滴の吸水状況について、検討する。
【００３０】
まず、図６に示すように、網目１３ａの直下に立体編物１０ｂが位置する場合、網目１３ａを通過した水滴は、立体編物１０ｂと衝突する。そのため、この水滴は、立体編物１０ｂで確実に吸水される。
【００３１】
これに対して、図７に示すように、網目１３ａの直下に網目１３ｂが位置する場合、網目１３ａを通過した水滴のうちの一部は、載置面３に到達する。しかし、網目１３（１３ａ、１３ｂ）の面積が上述の好ましい範囲となる場合、立体編物１０ｂを構成する一部のマイクロファイバーが水滴７と接触する。これにより、マイクロファイバーが毛細管として機能し、水滴７は、立体編物１０ｂに吸水される。
【００３２】
さらに、図８に示すように、網目１３ａの直下の領域と、網目１３ｂの直上の領域と、が領域Ｓで重なるとき、網目１３ａを通過し、下方の立体編物１０ｂと衝突した水滴は、図６の場合と同様に、立体編物１０ｂで吸水される。一方、網目１３ａを通過し、載置面３に到達した水滴は、図７の場合と同様に、毛細管現象により立体編物１０ｂで吸水される。
【００３３】
このように、立体編物１０（１０ａ、１０ｂ）がマイクロファイバーの集合体として形成されている場合、吸水性の良否は、網目１３（１３ａ、１３ｂ）の有無によって、大きく影響を受けるということはない。一方、網目１３（１３ａ、１３ｂ）が存在すると、立体編物１０（１０ａ、１０ｂ）の通気性が向上する。すなわち、本実施の形態の立体編物１０（１０ａ、１０ｂ）は、通気性および吸水性のいずれをも向上させることができる。
【００３４】
＜３．水切りマットの利点＞
以上のように、本実施の形態の水切りマット１において、各立体編物１０（１０ａ、１０ｂ）には、複数の網目１３（１３ａ、１３ｂ）が形成されており、各立体編物１０（１０ａ、１０ｂ）は優れた通気性を有している。また、第１および第２編地２０ａ、２０ｂ、並びに連結部３０のそれぞれを構成する単糸の繊度は、０．０００１デニール以上１デニール以下であり、各立体編物１０（１０ａ、１０ｂ）は優れた吸水性および速乾性を有している。
【００３５】
これにより、水滴の付着した対象物５が水切りマット１の上に置かれると（図３参照）、この水滴６は、
（１）重力の作用によって対象物５から水切りマット１に移動するとともに、
（２）速やかに水切りマット１で吸水される。
【００３６】
また、各立体編物１０（１０ａ、１０ｂ）が有する高い通気性は、水分を含んだ水切りマットの自然乾燥を促進させる。
【００３７】
このように、請求項１から請求項３に記載の考案によれば、
（Ａ）対象物５に付着した水滴６を水切りマット１に吸水させること、および、
（Ｂ）水切りマット１に吸水された水分を自然乾燥させること、
のいずれをも、良好に実行できる。そのため、対象物５を水切りマット１の上に一定時間放置するだけで、対象物５と、水切りマット１と、が接触する部分についても、湿気を帯びさせることなく、さらっとした状態にすることができる。
【００３８】
＜４．変形例＞
以上、本考案の実施の形態について説明してきたが、本考案は上記実施の形態に限定されるものではなく様々な変形が可能である。
【００３９】
（１）本実施の形態において、水切りマット１は、２つの立体編物１０（１０ａ、１０ｂ）を有するものとして説明したが、立体編物１０の枚数はこれに限定されるものでない。図９は、本考案の実施の形態における水切りマット１の構成の他の一例（水切りマット１００）を示す断面図である。
【００４０】
水切りマットは、図９に示すように、３つの立体編物１１０（１１０ａ、１１０ｂ、１１０ｃ）を有しても良いし、４つ以上の立体編物を有しても良い。すなわち、水切りマットに含まれる立体編物の枚数は、２以上であれば良い。
【符号の説明】
【００４１】
１、１００  水切りマット
５  対象物
６、７  水滴
１０（１０ａ、１０ｂ）、１１０（１１０ａ、１１０ｂ、１１０ｃ）  立体編物
１１  外周
１２  端部
１３（１３ａ、１３ｂ）  網目
２０ａ  第１編地
２０ｂ  第２編地
２１ａ、２１ｂ  対向面
３０  連結部
３１  連結糸
４０  固定部
４１  保護部
４２  縫糸
Ｓ  領域
【図１】
0003200604.tif 000003
【図２】
0003200604.tif 000004
【図３】
0003200604.tif 000005
【図４】
0003200604.tif 000006
【図５】
0003200604.tif 000007
【図６】
0003200604.tif 000008
【図７】
0003200604.tif 000009
【図８】
0003200604.tif 000010
【図９】
0003200604.tif 000011